(57)【要約】【課題】原稿載置面に載置された原稿のサイズを原稿カバーの開閉動作を要することなく検出することが可能な画像読取装置又は画像形成装置を提供すること【解決手段】画像読取装置は、原稿載置面２１１に対して開閉可能であって、原稿載置面２１１との対向面１５が原稿載置面２１１に載置される原稿の下地として予め定められた特定の下地に対応する光の反射特性とは異なる光の反射特性を有するＡＤＦ１と、原稿載置面２１１に載置された原稿及び対向面１５に対して光を照射可能な光源と、光源から照射されて原稿及び対向面１５で反射された光を受光して受光量に応じた電気信号を画像データとして出力する光電変換部と、光電変換部から出力される画像データに基づいて原稿載置面２１１に載置されている原稿のサイズを検出可能なサイズ検出手段を備える。【選択図】図２
2015115912.tif 000002
【特許請求の範囲】
【請求項１】
原稿載置面に対して開閉可能であって、前記原稿載置面との対向面が前記原稿載置面に載置される原稿の下地として予め定められた特定の下地に対応する光の反射特性とは異なる光の反射特性を有するカバー部材と、
前記原稿載置面に載置された原稿及び前記対向面に対して光を照射可能な光源と、
前記光源から照射されて原稿及び前記対向面で反射された光を受光して受光量に応じた電気信号を画像データとして出力する光電変換部と、
前記光電変換部から出力される前記画像データに基づいて前記原稿載置面に載置されている原稿のサイズを検出可能なサイズ検出手段と、
を備える画像読取装置。
【請求項２】
前記カバー部材の開閉状態を検出する開閉検出手段と、
前記画像読取装置の一部又は全部の動作が制限された非稼働状態から稼動状態に遷移する際に前記開閉検出手段により前記カバー部材の閉状態が検出されている場合に、前記光源から光を照射させて前記サイズ検出手段に前記原稿載置面に載置されている原稿のサイズを検出させる検出制御手段と、
を備える請求項１に記載の画像読取装置。
【請求項３】
前記サイズ検出手段により前記原稿載置面に載置されている原稿のサイズの検出に用いられた前記画像データを読取画像データとして出力可能な読取制御手段を更に備える請求項１又は２のいずれかに記載の画像読取装置。
【請求項４】
前記読取制御手段が、前記読取画像データを記憶部に記憶させた後、前記開閉検出手段により前記カバー部材の開状態が検出された場合に、前記記憶部に記憶されている前記読取画像データを削除する請求項３に記載の画像読取装置。
【請求項５】
前記反射特性が、反射率又は分光反射率である請求項１〜４のいずれかに記載の画像読取装置。
【請求項６】
請求項１〜５のいずれかに記載の画像読取装置と、
前記画像読取装置により原稿から読み取られた読取画像データに基づいて画像を形成可能な画像形成部と、
を備える画像形成装置。
【発明の詳細な説明】
【技術分野】
【０００１】
本発明は、原稿載置面に載置された原稿のサイズを検出可能な画像読取装置及び画像形成装置に関する。
【背景技術】
【０００２】
一般に、原稿の画像を読取可能なスキャナーなどの画像読取装置において、画像読取処理が実行される前に、原稿載置面に載置された原稿のサイズが検出されることがある。例えば、ユーザーによって原稿カバーが閉じられる直前に読取ユニットから光を照射させて画像データを読み取り、読み取った画像データから原稿領域及び原稿外領域を識別することで、原稿のサイズを検出する技術が知られている（例えば、特許文献１及び２参照）。
【先行技術文献】
【特許文献】
【０００３】
【特許文献１】特開平１１−１２５８７２号公報
【特許文献２】特開２００８−２６７１３号公報
【発明の概要】
【発明が解決しようとする課題】
【０００４】
しかしながら、上記関連技術は、原稿カバーが開いた状態で原稿及び原稿カバーからの反射光に光量差が生じることに基づいて原稿領域及び原稿外領域を識別するため、原稿カバーが閉じた状態では原稿のサイズを検出できない。そのため、たとえば画像読取装置がスリープ状態の間にユーザーにより原稿載置面に原稿が載置されて原稿カバーが閉じられた場合、ユーザーはスリープ状態から復帰した画像読取装置に原稿のサイズを検出させるために原稿カバーを開閉する必要があった。また、画像読取装置の電源が落とされている間にユーザーにより原稿載置面に原稿が載置されて原稿カバーが閉じられた場合も同様である。
【０００５】
本発明の目的は、原稿載置面に載置された原稿のサイズを原稿カバーの開閉動作を要することなく検出することが可能な画像読取装置又は画像形成装置を提供することにある。
【課題を解決するための手段】
【０００６】
本発明の一の局面に係る画像読取装置は、カバー部材と、光源と、光電変換部と、サイズ検出手段とを備える。前記カバー部材は、原稿載置面に対して開閉可能であって、前記原稿載置面との対向面が前記原稿載置面に載置される原稿の下地として予め定められた特定の下地に対応する光の反射特性とは異なる光の反射特性を有する。前記光源は、前記原稿載置面に載置された原稿及び前記対向面に対して光を照射可能である。前記光電変換部は、前記光源から照射されて原稿及び前記対向面で反射された光を受光して受光量に応じた電気信号を画像データとして出力する。前記サイズ検出手段は、前記光電変換部から出力される前記画像データに基づいて前記原稿載置面に載置されている原稿のサイズを検出可能である。
【０００７】
本発明の他の局面に係る画像形成装置は、画像読取装置と、画像形成部とを備える。前記画像形成部は、前記画像読取装置により原稿から読み取られた読取画像データに基づいて画像を形成可能である。
【発明の効果】
【０００８】
本発明によれば、原稿載置面に載置された原稿のサイズを原稿カバーの開閉動作を要することなく検出することが可能になる。
【図面の簡単な説明】
【０００９】
【図１】本発明の実施の形態に係る画像形成装置の構成を示す図。
【図２】本発明の実施の形態に係る画像形成装置のＡＤＦの構成を示す図。
【図３】本発明の実施の形態に係る画像形成装置のシステム構成を示すブロック図。
【図４】本発明の実施の形態に係る画像形成装置で実行される読取制御処理の一例を示すフローチャート。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
［画像形成装置１０の概略構成］
まず、図１〜図３を参照しつつ、本発明の実施の形態に係る画像形成装置１０の概略構成について説明する。図１（Ａ）及び図３に示すように、前記画像形成装置１０は、ＡＤＦ１、画像読取部２、画像形成部３、給紙部４、制御部５、操作表示部６、及び記憶部７を備える。前記画像形成装置１０は、原稿から画像データを読み取るスキャン機能と共に、プリンター機能、ファクシミリー機能、又はコピー機能などの複数の機能を有する複合機である。なお、前記画像形成装置１０において、前記ＡＤＦ１、前記画像読取部２及び前記制御部５を備える構成が本発明に係る画像読取装置の一例である。また、本発明は、スキャナー装置、ファクシミリー装置、及びコピー機などの画像読取装置又は画像形成装置に適用可能である。
【００１２】
前記画像形成部３は、前記画像読取部２で読み取られた画像データ又は外部のパーソナルコンピューター等の情報処理装置から入力された画像データに基づいて画像形成処理（印刷処理）を実行する電子写真方式の画像形成部である。具体的に、前記画像形成部３は、図１（Ａ）に示すように、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９を備える。そして、前記画像形成部３では、前記給紙部４に着脱可能な給紙カセット４１から供給される用紙に以下の手順で画像が形成され、画像形成後の用紙が前記排紙トレイ３９に排出される。
【００１３】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過する際に前記定着ローラー３７で加熱されて溶融定着する。なお、前記感光体ドラム３１の表面に残存したトナーは前記クリーニング装置３６で除去される。
【００１４】
前記制御部５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部５は、前記ＲＯＭに予め記憶された各種の制御プログラムを前記ＣＰＵを用いて実行することにより前記画像形成装置１０を統括的に制御する。なお、前記制御部５は、集積回路（ＡＳＩＣ）などの電子回路で構成されたものであってもよく、前記画像形成装置１０を統括的に制御するメイン制御部とは別に設けられた制御部であってもよい。
【００１５】
前記操作表示部６は、前記制御部５からの制御指示に応じて各種の情報を表示する液晶ディスプレーなどの表示部、及びユーザーの操作に応じて前記制御部５に各種の情報を入力するハードキー又はタッチパネルなどの操作部を有する。
【００１６】
前記記憶部７は、前記画像読取部２で読み取られた画像データ、又は外部のパーソナルコンピューター等の情報処理装置から入力された画像データを記憶するハードディスク又はＳＳＤなどの不揮発性の記憶手段である。
【００１７】
前記画像読取部２は、原稿からモノクロ画像データを読み取り可能な画像読取部である。具体的に、前記画像読取部２は、図１（Ａ）及び図１（Ｂ）に示すように、原稿台２１、読取ユニット２２、ミラー２３、２４、光学レンズ２５、ＣＣＤ（Charge Coupled Device）２６及び開閉検出センサー２７を備える。
【００１８】
前記原稿台２１は、前記画像読取部２の上面に設けられており、図１（Ｂ）に示すように、原稿載置面２１１及び搬送読取面２１２を備える。前記原稿載置面２１１は、画像データの読取対象となる原稿が載置される透光性を有するコンタクトガラスである。前記原稿載置面２１１では、予め定められた載置基準位置２１３に合わせて各種サイズの原稿が載置される。具体的に、前記原稿載置面２１１では、Ｂ５縦、Ａ４縦、Ｂ５横、Ａ４横、Ｂ４横、Ａ３横のサイズの原稿が載置可能である。前記搬送読取面２１２は、前記ＡＤＦ１により搬送される原稿に対して前記読取ユニット２２から照射される光を透過する搬送読取用ガラスである。
【００１９】
前記読取ユニット２２は、光源２２１及びミラー２２２を備え、ステッピングモーター等の駆動手段を用いた不図示の移動機構によって副走査方向２１５（図１（Ａ）における左右方向）へ移動可能に構成されている。そして、前記駆動手段により前記読取ユニット２２が前記副走査方向２１５に移動されると、前記光源２２１から前記原稿台２１上に照射される光が前記副走査方向２１５に走査される。
【００２０】
前記光源２２１は、主走査方向２１４（図１（Ａ）における奥行方向）に沿って配列された多数の白色ＬＥＤを備える。そして、前記光源２２１は、前記原稿台２１の前記原稿載置面２１１又は前記搬送読取面２１２を透過させて原稿に前記主走査方向２１４の１ライン分の白色光を照射する。前記光源２２１による光の照射位置が前記画像読取部２による画像データの読取位置であり、前記読取位置は前記読取ユニット２２の前記副走査方向２１５の移動に伴って前記副走査方向２１５に移動する。具体的に、前記読取ユニット２２は、前記原稿載置面２１１に載置された原稿から画像データを読み取る際には前記光源２２１の光が前記原稿載置面２１１を通過する位置に移動される。また、前記ＡＤＦ１によって搬送される原稿から画像データを読み取る際には、前記読取ユニット２２は前記光源２２１の光が前記搬送読取面２１２を通過する位置に移動される。
【００２１】
前記ミラー２２２は、前記光源２２１から照射されて前記原稿台２１上の前記読取位置にある原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、前記ミラー２４から入射した光を集光して前記ＣＣＤ２６に入射させる。
【００２２】
前記ＣＣＤ２６は、受光した光をその光量に応じた電気信号（電圧）に変換し、画像データとして出力する光電変換素子を有するイメージセンサーである。そして、前記ＣＣＤ２６は、前記光源２２１から光が照射されたときに前記原稿から反射して入射する反射光に基づく電気信号を前記原稿の画像データとして前記制御部５に入力する。ここに、前記ＣＣＤ２６が、光電変換部の一例である。
【００２３】
前記開閉検出センサー２７は、図１（Ｂ）に示すように、前記原稿台２１上に設けられ、前記ＡＤＦ１の前記原稿台２１に対する開閉状態を検出するための機械式スイッチである。具体的に、前記開閉検出センサー２７は、前記ＡＤＦ１の開状態及び閉状態の各々に対応する電気信号を前記制御部５に出力する。なお、前記開閉検知センサー２７は、光センサーなどであってもよい。
【００２４】
前記ＡＤＦ１は、図１（Ａ）及び図２に示すように、原稿セット部１１、複数の搬送ローラー１２、原稿押さえ１３、排紙部１４、及び反射面１５を備える自動原稿搬送装置である。また、前記ＡＤＦ１は、前記原稿台２１に対して開閉可能に支持されており、前記原稿載置面２１１に載置される原稿に対する原稿カバーを兼ねている。前記ＡＤＦ１では、前記搬送ローラー１２各々が不図示のモーターで駆動されることにより、前記原稿セット部１１に載置された原稿が前記画像読取部２による画像データの読取位置を通過して前記排紙部１４まで搬送される。これにより、前記画像読取部２は、前記ＡＤＦ１により搬送される原稿から画像データを読み取ることが可能である。ここに、前記ＡＤＦ１がカバー部材の一例である。
【００２５】
ところで、ユーザーによって前記ＡＤＦ１が閉じられる直前に原稿の画像データを読み取り、読み取った画像データから原稿領域及び原稿外領域を識別することで、前記原稿載置面２１１に載置された原稿のサイズを検出する技術が知られている。しかしながら、前記関連技術は、前記ＡＤＦ１が開いた状態で原稿及び前記ＡＤＦ１からの反射光に光量差が生じることに基づいて原稿領域及び原稿外領域を識別するため、前記ＡＤＦ１が閉じた状態では原稿のサイズを検出できない。そのため、たとえば画像形成装置１０がスリープ状態の間にユーザーにより前記原稿載置面２１１に原稿が載置されて前記ＡＤＦ１が閉じられた場合、ユーザーはスリープ状態から復帰した前記画像形成装置１０に原稿のサイズを検出させるために前記ＡＤＦ１を開閉する必要があった。また、前記画像形成装置１０の電源が落とされている間にユーザーにより前記原稿載置面２１１に原稿が載置されて前記ＡＤＦ１が閉じられた場合についても、ユーザーにおいて同様の手間が生じていた。これに対し、前記画像形成装置１０では、前記ＡＤＦ１の前記反射面１５により、前記ＡＤＦ１が閉じられた状態で前記原稿載置面２１１に載置された原稿のサイズを検出することが可能である。
【００２６】
具体的に、前記反射面１５は、図２に示すように、前記ＡＤＦ１における前記原稿載置面２１１との対向面であって、前記原稿載置面２１１に載置される原稿の下地として予め定められた特定の下地に対応する光の反射特性とは異なる光の反射特性を有する。ここで、前記光の反射特性とは光の反射率である。例えば、前記特定の下地は白色原稿の下地である。この場合、前記反射面１５をグレー色のシート部材で構成することにより、前記反射面１５の光の反射率を前記白色原稿の下地の反射率と異なるものとすることが考えられる。また、前記反射面１５を鏡面加工が施されたシート部材で構成することも考えられる。これにより、前記制御部５が、前記ＥＥＰＲＯＭ等に予め記憶された前記反射面１５の反射光に対応する画像データに基づいて、前記ＣＣＤ２６から出力される画像データに含まれる前記反射面１５の画像データ及び原稿の画像データを識別することが可能となる。
【００２７】
そして、前記制御部５は、図３に示すように、サイズ検出部５１、開閉検出部５２、検出制御部５３、及び読取制御部５４を含む。具体的に、前記制御部５は、前記ＣＰＵを用いて前記ＲＯＭに記憶されている制御プログラムを実行することにより、前記サイズ検出部５１、前記開閉検出部５２、前記検出制御部５３、及び前記読取制御部５４として機能する。また、前記制御部５が電子回路である場合、前記サイズ検出部５１、前記開閉検出部５２、前記検出制御部５３、及び前記読取制御部５４は、前記制御部５が備える各モジュールとして構成される。ここに、前記サイズ検出部５１がサイズ検出手段の一例であり、前記開閉検出部５２が開閉検出手段の一例である。また、前記検出制御部５３が検出制御手段の一例であり、前記読取制御部５４が読取制御手段の一例である。
【００２８】
前記サイズ検出部５１は、前記ＣＣＤ２６から出力される画像データに基づいて前記原稿載置面２１１に載置されている原稿のサイズを検出可能である。ここで、前記サイズ検出部５１は、前記読取ユニット２２が前記光源２２１を点灯させた状態でホームポジションから前記副走査方向２１５の端部まで移動する間の前記ＣＣＤ２６からの出力に基づいて、原稿のサイズ検出を行う。具体的に、前記サイズ検出部５１は、前記ＥＥＰＲＯＭ等に予め記憶された前記反射面１５の反射光に対応する画像データに基づいて、前記ＣＣＤ２６から出力される画像データに含まれる前記反射面１５の画像データ及び原稿の画像データを識別する。そして、前記サイズ検出部５１は、識別された原稿の画像データから縦及び横の長さを検出し、前記ＥＥＰＲＯＭ等に予め記憶された原稿の各種サイズに関するデータと照合することで、原稿のサイズを検出可能である。なお、前記サイズ検出部５１が、前記画像読取部２によって読み取られた前記主走査方向２１４の１ライン分又は複数ライン分の画像データに基づいて、原稿のサイズを検出する構成が他の実施形態として考えられる。
【００２９】
前記開閉検出部５２は、前記ＡＤＦ１の開閉状態を検出する。具体的に、前記開閉検出部５２は、前記開閉検出センサー２７から出力される前記電気信号に基づいて、前記ＡＤＦ１が前記原稿台２１に対して開けられた状態であるか、又は閉じられた状態であるかを判断する。
【００３０】
前記検出制御部５３は、前記画像形成装置１０の一部又は全部の動作が制限された非稼働状態から稼働状態に遷移する際に、前記開閉検出部５２により前記ＡＤＦ１の閉状態が検出されている場合に、前記光源２２１から光を照射させて前記サイズ検出部５１に前記原稿載置面２１１に載置されている原稿のサイズを検出させる。例えば、前記非稼働状態は、前記画像形成装置１０の電源が落とされた状態、前記制御部５により一部の構成に対する通電が停止された状態（スリープモード）を含む。前記検出制御部５３は、前記非稼働状態から前記稼働状態への状態遷移を検出した場合に、前記開閉検出部５２に前記ＡＤＦ１の開閉状態を検出させる。そして、前記検出制御部５３は、前記開閉検出部５２が前記ＡＤＦ１の閉状態を検出した場合に、前記光源２２１を点灯させた状態で前記読取ユニット２２を前記ホームポジションから前記副走査方向２１５の端部まで移動させることで、前記サイズ検出部５１に原稿のサイズを検出させる。
【００３１】
前記読取制御部５４は、前記サイズ検出部５１により前記原稿載置面２１１に載置されている原稿のサイズの検出に用いられた画像データを読取画像データとして出力可能である。具体的に、前記読取制御部５４は、前記読取画像データを前記記憶部７に記憶させる。そして、前記読取制御部５４は、前記読取画像データを前記記憶部７に記憶させた後、前記開閉検出部５２により前記ＡＤＦ１の開状態が検出された場合に、前記記憶部７に記憶されている前記読取画像データを削除する。なお、前記読取制御部５４が、前記読取画像データに基づいて前記画像形成部３に印刷処理を実行させることも考えられる。
【００３２】
そして、前記制御部５の前記ＲＯＭ又は前記ＥＥＰＲＯＭには、前記ＣＰＵに後述の読取制御処理（図４参照）を実行させるための読取制御プログラムが予め記憶されている。なお、前記読取制御プログラムは、ＣＤ、ＤＶＤ、フラッシュメモリなどのコンピューター読み取り可能な記録媒体に記録されており、前記記録媒体から読み取られて前記制御部５の前記ＥＥＰＲＯＭなどの記憶部にインストールされるものであってもよい。
【００３３】
［読取制御処理］
以下、図４を参照しつつ、前記画像形成装置１０において前記制御部５により実行される読取制御処理の手順の一例について説明する。ここで、ステップＳ１、Ｓ２・・・は、前記制御部５により実行される処理手順（ステップ）の番号を表している。
【００３４】
＜ステップＳ１＞
まず、ステップＳ１において、前記制御部５は、前記非稼働状態から前記稼働状態への状態遷移が検出されたか否かを判断する。例えば、前記制御部５は、前記画像形成装置１０の電源が投入された場合又は前記画像形成装置１０が前記スリープモードから復帰した場合に、前記状態遷移を検出する。
【００３５】
ここで、前記制御部５は、前記状態遷移が検出されたと判断すると（Ｓ１のＹｅｓ側）、処理をステップＳ２に移行させる。また、前記状態遷移が検出されていなければ（Ｓ１のＮｏ側）、前記制御部５は、前記ステップＳ１で前記状態遷移の発生を待ち受ける。
【００３６】
＜ステップＳ２＞
ステップＳ２において、前記制御部５は、前記ＡＤＦ１が前記原稿台２１に対して閉じた状態であるか否かを判断する。具体的に、前記制御部５は、前記開閉検出センサー２７から出力される前記電気信号に基づいて、前記ＡＤＦ１が前記原稿台２１に対して開けられた状態とされているか、又は閉じられた状態とされているかを判断する。ここに、前記ステップＳ２の処理は、前記開閉検出部５２により実行される。
【００３７】
ここで、前記制御部５は、前記ＡＤＦ１が前記原稿台２１に対して閉じた状態であると判断すると（Ｓ２のＹｅｓ側）、処理をステップＳ３に移行させる。また、前記ＡＤＦ１が前記原稿台２１に対して閉じた状態でなければ（Ｓ２のＮｏ側）、前記制御部５は、処理を前記ステップＳ１に移行させる。
【００３８】
＜ステップＳ３＞
ステップＳ３において、前記制御部５は、前記画像読取部２に前記原稿載置面２１１の全面に亘って画像データを読み取らせる。具体的に、前記画像読取部２は、前記光源２２１から光を照射させると共に、前記読取ユニット２２を前記ホームポジションから前記副走査方向２１５の端部まで移動させることにより前記画像データを読み取る。なお、前記ステップＳ３では、予め設定された読取条件で画像データが読み取られる。例えば、前記読取条件は、読取解像度を含む。前記画像形成装置１０では、前記制御部５が、前記操作表示部６における設定操作により、前記読取条件を任意に設定することが可能である。ここに、前記ステップＳ３の処理は、前記検出制御部５３により実行される。
【００３９】
＜ステップＳ４＞
ステップＳ４において、前記制御部５は、前記原稿載置面２１１に載置されている原稿のサイズを検出する。具体的に、前記制御部５は、前記ＥＥＰＲＯＭ等に予め記憶された前記反射面１５の反射光に対応する画像データに基づいて、前記ステップＳ３で読み取られた画像データに含まれる前記反射面１５の画像データ及び原稿の画像データを識別する。そして、前記制御部５は、識別された原稿の画像データから縦及び横の長さを検出し、前記ＥＥＰＲＯＭ等に予め記憶された原稿の各種サイズに関するデータと照合することで、原稿のサイズを検出する。ここに、前記ステップＳ４の処理は、前記サイズ検出部５１により実行される。
【００４０】
＜ステップＳ５＞
ステップＳ５において、前記制御部５は、前記ステップＳ４で原稿のサイズの検出に用いられた画像データを前記読取画像データとして前記記憶部７に記憶させる。ここで、前記制御部５は、前記ステップＳ４で識別されたサイズの領域に対応する画像データのみを前記読取画像データとして前記記憶部７に記憶させる。これにより、ユーザーは前記記憶部７に記憶された前記読取画像データを利用可能となる。ここに、前記ステップＳ５の処理は、前記読取制御部５４により実行される。
【００４１】
＜ステップＳ６＞
ステップＳ６において、前記制御部５は、前記ＡＤＦ１が前記原稿台２１に対して開いた状態であるか否かを判断する。ここに、前記ステップＳ６の処理は、前記開閉検出部５３により実行される。
【００４２】
ここで、前記制御部５は、前記ＡＤＦ１が前記原稿台２１に対して開いた状態であると判断すると（Ｓ６のＹｅｓ側）、処理をステップＳ９に移行させる。また、前記ＡＤＦ１が前記原稿台２１に対して開いた状態でなければ（Ｓ６のＮｏ側）、前記制御部５は、処理を前記ステップＳ７に移行させる。
【００４３】
＜ステップＳ７＞
ステップＳ７において、前記制御部５は、前記操作表示部６に対する印刷処理の実行操作が行われたか否かを判断する。例えば、前記制御部５は、前記画像形成装置１０に前記印刷処理の実行を指示するための前記操作表示部６の操作キーに対するユーザー操作の有無に基づいて、前記印刷処理の実行操作の有無を判断する。このとき、前記制御部５は、前記ステップＳ１で前記状態遷移が検出された後、前記ステップＳ６で前記ＡＤＦ１の開状態が検出されるまでの間に前記実行操作が行われたか否かを判断する。即ち、前記制御部５は、前記ステップＳ３における画像データの読み取り中にも前記実行操作を受付可能である。
【００４４】
ここで、前記制御部５は、前記操作表示部６に対する前記印刷処理の実行操作が行われたと判断すると（Ｓ７のＹｅｓ側）、処理をステップＳ８に移行させる。また、前記操作表示部６に対する前記印刷処理の実行操作が行われていなければ（Ｓ７のＮｏ側）、前記制御部５は、処理を前記ステップＳ６に移行させて、前記ＡＤＦ１が前記原稿台２１に対して開けられた状態となるまでの間、前記操作表示部６に対する前記印刷処理の実行操作を待ち受ける。
【００４５】
＜ステップＳ８＞
ステップＳ８において、前記制御部５は、前記画像形成部３に前記ステップＳ５で前記記憶部７に記憶された前記読取画像データに基づく前記印刷処理を実行させる。
【００４６】
＜ステップＳ９＞
ステップＳ９において、前記制御部５は、前記ステップＳ５で前記記憶部７に記憶された前記読取画像データを前記記憶部７から削除する。その後、前記制御部５は、処理を前記ステップＳ１に移行させて、再び前記画像形成装置１０に前記状態遷移が発生するのを待ち受ける。
【００４７】
このように、前記画像形成装置１０では、前記反射面１５が前記特定の下地に対応する光の反射特性とは異なる光の反射特性を有しているため、前記ＡＤＦ１が閉じたままの状態で、前記原稿載置面２１１に載置された原稿のサイズを検出することが可能である。そのため、前記読取制御処理では、前記画像形成装置１０が前記非稼働状態から前記稼働状態へと状態遷移した際に前記ＡＤＦ１が閉じられている場合に、前記ＡＤＦ１が閉じたままの状態で前記原稿載置面２１１に載置されている原稿のサイズが検出される。従って、前記画像形成装置１０がスリープ状態等の間に、ユーザーにより前記原稿載置面２１１に原稿が載置されて前記ＡＤＦ１が閉じられた場合であっても、ユーザーによる前記ＡＤＦ１の開閉動作を伴うことなく原稿のサイズを検出することが可能である。
【００４８】
また、前記読取制御処理では、原稿のサイズの検出に用いられた画像データが前記読取画像データとして前記記憶部７に記憶され、ユーザーの前記操作キーに対する操作に応じて前記読取画像データについての前記印刷処理が実行される。そのため、前記原稿載置面２１１に載置された原稿に対する前記印刷処理において再度の画像読取動作が不要となり、前記印刷処理に係る時間が短縮される。
【００４９】
また、前記読取制御処理では、ユーザーによって前記操作キーに対する操作が行われることなく前記ＡＤＦ１が開かれた場合に、前記制御部５が前記読取画像データはユーザーにとって不要なものであると判断して、前記読取画像データを前記記憶部７から削除する。そのため、ユーザーに操作の負担を意識させることなく不要な前記読取画像データを削除させることが可能になると共に、前記記憶部７の記憶容量が不要な前記読取画像データにより圧迫されることが抑制される。
【００５０】
なお、前記ステップＳ３において、前記制御部５が、前記画像読取部２に前記原稿載置面２１１の前記主走査方向２１４の１ライン分又は複数ライン分の画像データを読み取らせることが考えられる。この場合、前記制御部５は、読み取られた画像データに基づいて原稿のサイズを検出し（前記ステップＳ４）、原稿サイズ検出に用いられた画像データを前記記憶部７に記憶させる（前記ステップＳ５）。そして、前記ステップＳ７で前記印刷処理の実行操作が行われた場合に、前記制御部５は、前記画像読取部２に前記ステップＳ３で読み取られなかった残りの画像データを読み取らせて、読み取られた画像データ及び前記記憶部７に記憶された画像データに基づいて前記画像形成部３に前記印刷処理を実行させる（前記ステップＳ８）。これにより、原稿サイズの検出後に実行される前記印刷処理にかかる時間が短縮される。
【００５１】
［他の実施形態］
ところで、前記画像読取部２が原稿のカラー画像データを読取可能な場合には、前記反射面１５が、前記原稿載置面２１１に載置される原稿の下地として予め定められた特定の下地に対応する分光反射率（反射特性の一例）とは異なる分光反射率を有することが考えられる。この場合、前記特定の下地を有する原稿の前記特定の下地での反射光と、前記反射面１５の反射光とで、光の色及び光量が異なることになる。例えば、前記特定の下地が白色原稿の下地と定められた場合に、前記反射面１５を青色のシート部材で構成することにより、前記反射面１５の分光反射率を前記白色原稿の下地の分光反射率と異なるものとすることが考えられる。そして、前記サイズ検出部５１は、前記ＥＥＰＲＯＭ等に予め記憶された前記反射面１５での反射光に対応する画像データに基づいて、前記ＣＣＤ２６から出力される画像データに含まれる前記反射面１５の画像データを識別することが可能である。
【符号の説明】
【００５２】
１  ：ＡＤＦ
１５：反射面
２  ：画像読取部
２１：原稿台
２１１：原稿載置面
２２：読取ユニット
２２１：光源
２３、２４：ミラー
２５：光学レンズ
２６：ＣＣＤ
２７：開閉検出センサー
３  ：画像形成部
４  ：給紙部
５  ：制御部
５１：サイズ検出部
５２：開閉検出部
５３：検出制御部
５４：読取制御部
６  ：操作表示部
７  ：記憶部
１０：画像形成装置
【図１】
2015115912.tif 000003
【図２】
2015115912.tif 000004
【図３】
2015115912.tif 000005
【図４】
2015115912.tif 000006